(57)【特許請求の範囲】
【請求項１】
ケース内に繰出コアと巻取コアが回転可能に収納され、前記ケース端部から押圧転写部を具えた転写ヘッドが突出し、前記繰出コアに巻回された塗膜とテ−プ基材からなる転写テ−プが引き出され、前記押圧転写部において転写テープが被転写面に転写される塗膜と残りのテープ基材とに分かれ、前記テープ基材が前記巻取コアに巻取られるようになっている塗膜転写具において、
前記転写ヘッドが、板状であり、前記転写ヘッドのヘッド本体に、幅方向に貫通している取付孔が設けられ、前記ケース端部に、前記取付孔に嵌合する角柱状の嵌合部材が設けられ、前記取付孔の縦断面積が、前記転写ヘッドの幅方向中心から見て外方向に向かう程、前記取付孔の上下内面のテ−パによって大きくなっていることを特徴とする、塗膜転写具。
前記の取付孔の上下内面の下内面とは、前記繰出しコアから引き出され前記押圧転写部で塗膜が転写される前の転写テ−プ側の内面を表し、上内面とは前記押圧転写部で塗膜が転写された後の前記巻取りコアに巻き取られるテ−プ基材側の内面を表すものである。
【発明の詳細な説明】
【０００１】
【発明の属する技術分野】
本発明は、文字修正用塗膜、接着用粘着材膜、装飾用塗膜等を被転写面に押圧転写するための塗膜転写具の技術分野に属する。
【０００２】
【従来の技術】
図４は従来の塗膜転写具を示し、図４（ａ）は、カバーを外した状態の上面図である。この塗膜転写具１００は、２つの支軸２２ａ，２２ｂを具えたケース２００、ケース端部から外部に突出し、先端に押圧転写部３４０を具えた転写ヘッド３００、各支軸２２ａ，２２ｂに回転可能に嵌合された繰出コア２４ｂと巻取コア２４ａ、及び基材テープに塗膜が塗布された転写テープＴからなり、ケース２００の開口部はカバー（図示せず。）で覆われている。転写テープＴは繰出コア２４ｂに巻回されており、繰出コア２４ｂから引出された転写テープＴは押圧転写部３４０において塗膜と基材テープとに別れ、塗膜が被転写面に転写され、基材テープだけが巻取コア２４ａに巻取られるようになっている。繰出コア２４ｂと巻取コア２４ａが互いに連動して回転するように、図４の塗膜転写具１００では、両コア２４ａ，２４ｂに無端状のゴムベルトＢが掛回されている。
【０００３】
転写ヘッド３００は、先端に押圧転写部３４０が設けられたヘッド本体３２０と、円柱状の支柱部３６０からなり、ケース２００には転写ヘッド３００の支柱部３６０を軸支する軸受部２６０が設けられている。図４（ｂ）は、転写ヘッド３００と軸受部２６０の斜視図、図４（ｃ）は、図４（ａ）のｃ−ｃ線断面図である。図４（ｂ）に示すように、転写ヘッド３００の支柱部３６０は円柱状であり、軸受部２６０に回転可能に軸支される。
【０００４】
上記構成により、この塗膜転写具１００は、使用中にケース２００を傾斜させた場合でも、ヘッド本体３２０の押圧転写部３４０全面が被転写面に押圧されるように、転写ヘッド３００が図４（ｃ）の矢印方向に回転して、良好な転写が行なわれるようになっている。
【０００５】
しかし、上記構成の塗膜転写具１００は、繰出コア２４ｂからケース端部の間に軸受部２６０を設けるスペースが必要であるため、巻取コア２２ａからケース端部までの長さｈが必然的に長くなり、塗膜転写具１００が大型化するという問題を有する。
【０００６】
また、近年、転写テープＴの薄型化が進み、テープ基材がより薄膜化されるようになっているが、テープ基材は、厚さが薄くなるほど弾性反発力（腰強さ）が弱くなることが知られている。
そして、繰出コア２４ｂからケース端部までの距離が長い塗膜転写具１００に、弾性反発力の弱い、薄いテープ基材からなる転写テープＴを用いた場合、繰出コアからケース端部までの間で転写テープＴの捻れや蛇行、折れが発生しやすくなるという問題もある。
【０００７】
そこで、特表平５−５０２２１１号公報に記載されたもののように、転写ヘッドに設けられた凹状部と、ケース内部に設けられた取付部の凸状部とを摺動可能に嵌合させることによって、転写ヘッドをケースに取付けた塗膜転写具がある。
このように、転写ヘッドに支柱部を具えておらず、小さな凹状部と凸状部の嵌合によって転写ヘッドがケースに取付けられるようになっていると、コアからケース端部までの間に余分なスペースが不要であるため、この部分の距離を短くして塗膜転写具を小型化することができる。
また、この塗膜転写具では、使用中にケースが傾斜しても、凸状部と凹状部を介して転写ヘッドが回転して、押圧転写部全面が被転写面に押圧される。
【０００８】
【発明が解決しようとする課題】
しかし、特表平５−５０２２１１号の塗膜転写具では、凹状部及び凸状部表面に傷が付いたり、歪みが生じたりすると、転写ヘッドがスムーズに回転できなくなる。
そのため、凹状部と凸状部の面仕上げには、細心の注意を払わなくてはならず、加工の手間がかかるという問題を有する。
【０００９】
【課題を解決するための手段】
本発明は、ケース内に繰出コアと巻取コアが回転可能に収納され、前記ケース端部から押圧転写部を具えた転写ヘッドが突出し、前記繰出コアに巻回された塗膜とテ−プ基材からなる転写テ−プが引き出され、前記押圧転写部において転写テープが被転写面に転写される塗膜と残りのテープ基材とに分かれ、前記テープ基材が前記巻取コアに巻取られるようになっている塗膜転写具において、
前記転写ヘッドが、板状であり、前記転写ヘッドのヘッド本体に、幅方向に貫通している取付孔が設けられ、前記ケース端部に、前記取付孔に嵌合する角柱状の嵌合部材が設けられ、前記取付孔の縦断面積が、前記転写ヘッドの幅方向中心から見て外方向に向かう程、前記取付孔の上下内面のテ−パによって大きくなっていることを特徴とする、塗膜転写具によって、前記の課題を解決した。
前記の取付孔の上下内面の下内面とは、前記繰出しコアから引き出され前記押圧転写部で塗膜が転写される前の転写テ−プ側の内面を表し、上内面とは前記押圧転写部で塗膜が転写された後の前記巻取りコアに巻き取られるテ−プ基材側の内面を表すものである。
【００１０】
【作用】
本発明では、転写ヘッドは、ヘッド本体の取付孔に嵌合部材が嵌合することによってケースに取付けられるので、嵌合部材に支持された状態でケースに対して回動可能となる。
そのため、塗膜転写具が傾いても、押圧転写部全面が被転写面に押圧されるように転写ヘッドが回動（首振り）し、良好な転写が行なわれる。
そして、従来のように、ケース内に、転写ヘッドを取付けるための余分なスペースを設ける必要がないので、塗膜転写具を小型化することができる。
【００１１】
【発明の実施の形態】
図１は、本発明の第１実施形態による塗膜転写具を示し、図１（ａ）はカバーを外した状態の上面図、図１（ｂ）が図１（ａ）に使用される転写ヘッドの斜視図、図１（ｃ）は図１（ａ）のｃ−ｃ線断面図である。図１（ａ）に示すように、本発明の塗膜転写具１０は、２つの支軸２２ａ，２２ｂを具えたケース２０、ケース端部に設けられ、先端に押圧転写部３４を具えた転写ヘッド３０、各支軸２２ａ，２２ｂに回転可能に嵌合された繰出コア２４ｂと巻取コア２４ａ、及び基材テープに塗膜が塗布された転写テープＴからなり、ケース２０の開口部はカバー２６（図示せず。）で覆われている。従来のものと同様に、繰出コア２４ｂに巻回された転写テープＴが引出され、押圧転写部３４において塗膜と基材テープとに別れ、塗膜が被転写面に転写され、基材テープだけが巻取コア２４ａに巻取られるようになっている。
【００１２】
図１（ｂ）に示すように、転写ヘッド３０は、先端に押圧転写部３４が設けられたヘッド本体３２からなり、ヘッド本体３２を貫通して延びる縦断面が矩形状の取付孔４０が設けられている。
この取付孔４０の縦断面形状は矩形状であり、上下の面がテーパ状にされているため、取付孔４０の断面積は、ヘッド本体３２の幅方向中心部分において最も小さく、両端部に近付くにつれて次第に大きくなっている。
ケース端部には、断面積が一定の角柱状の嵌合部材５０が立設されている。
また、カバー２６裏面には、嵌合部材５０の端部を受入れる凹状の係合部２８が設けられている（図１（ｃ）参照）。
【００１３】
転写ヘッド３０の取付孔４０をケース２０の嵌合部材５０に挿通した後、ケース２０にカバー２６を被せて嵌合部材５０の端部をカバー２６裏面の凹状の係合部２８に係合させることによって、塗膜転写具１０に転写ヘッド３０が確実に取付けられる。
上記のとおり、転写ヘッド３０の取付孔４０は、ヘッド本体３２の幅方向中心において最も小さく、両端部に近付くにつれて次第に大きくなるように、上下の面がテーパ状にされているので（図１（ｂ）参照。）、取付状態において、断面積が一定の嵌合部材５０と取付孔４０の上下内面とは、転写ヘッド３０の幅方向中心において線接触することになる（図１（ｃ）参照）。
従って、この塗膜転写具１０において、転写ヘッド３０は、嵌合部材５０と取付孔４０内面とが線接触している部分を中心として、図１（ｃ）の矢印方向に回動することができる。
【００１４】
図２（ａ）は、図１の塗膜転写具１０を使用して、塗膜の転写を行なっている状態における転写ヘッド３０部分の拡大斜視図であり、塗膜転写具１０が矢印方向に傾いている状態を示す。
なお、この図では、転写テープＴの図示を省略した。
図２（ａ）に示すように、本発明の塗膜転写具１０によると、塗膜転写具１０を傾斜させた状態で使用しても、押圧転写部３４全面が被転写面に押圧されるように転写ヘッド３０が回動するので、良好な転写を行なうことができる。
【００１５】
次に、図３は、本発明の第２、第３実施形態の塗膜転写具に使用される転写ヘッド、及び嵌合部材の組合せを示し、図１におけるｃ−ｃ線断面図に相当する。
図３（ａ）に示す第２実施形態の塗膜転写具に使用される転写ヘッド３０ａは、第１実施形態の転写ヘッド３０と同様に、上下の面がテーパ状にされ、縦断面が矩形状の取付孔４０ａが設けられ、さらに、取付孔４０ａの内面には、幅方向中心に突起４２，４２が形成されている。
また、嵌合部材５０ａは、一方の端部に向けて次第に細くなるようにテーパ状にされている。
この実施形態では、嵌合部材５０ａの端部に凹状の係合部５２が設けられ、カバー２６ａ裏面に凸状の被係合部２８ａが設けられている。
図３（ａ）に示すように、転写ヘッド３０ａの取付孔４０ａに嵌合部材５０ａを挿通すると、取付孔４０ａの上下内面に設けられた突起４２，４２と嵌合部材５０ａとが点接触することになる。
【００１６】
図３（ｂ）に示す第３実施形態の塗膜転写具に使用される転写ヘッド３０ｂには、転写ヘッド３０ｂの幅方向に亘って縦断面積が一定の取付孔４０ｂが設けられている。
一方、この実施形態に使用される嵌合部材５０ｂは、中央部分が最も太くなるように形成されている。
この実施形態では、カバー２６ｂを貫通する孔状の係合部２８ｂが設けられ、この係合部２８ｂに嵌合部材５０ｂの端部５４を係合させることによって、ケース２０ｂとカバー２６ｂとが一体にされる。
そして、この転写ヘッド３０ｂの取付孔４０ｂに嵌合部材５０ｂを挿通すると、取付孔４０ｂの上下内面と嵌合部材５０ｂとは、転写ヘッド３０ｂの幅方向中心で線接触する。
【００１７】
従って、図３（ａ）、及び図３（ｂ）に示す転写ヘッド３０ａ，３０ｂ、及び嵌合部材５０ａ，５０ｂを使用した塗膜転写具では、転写ヘッド３０ａ，３０ｂが図３の矢印方向に回動可能となる。
その結果、塗膜転写具を傾斜させた状態で使用しても、押圧転写部全面が被転写面に押圧されるように転写ヘッド３０ａ，３０ｂが回動（首振り）して、良好な転写を行なうことができる。
【００２０】
なお、第２、第３の実施形態の塗膜転写具において、転写ヘッド３０ａ，３０ｂ及び／又は嵌合部材５０ａ，５０ｂの構成以外は、第１実施形態のものと同一であるので、説明を省略する。
【００２１】
上記各実施形態の本発明の塗膜転写具によると、転写ヘッド３０，３０ａ，３０ｂが、その幅内において、嵌合部材５０，５０ａ，５０ｂによってケース２０，２０ａ，２０ｂに取付けられるので、転写ヘッド３０，３０ａ，３０ｂを取付けるため、ケース２０，２０ａ，２０ｂに余分なスペースを設ける必要がない。その結果、巻取コア２４ａからケース端部までの距離（図１（ａ）の符号Ｈ参照。）を短くして、塗膜転写具を小型化することができる。
【００２２】
また、転写ヘッド３０，３０ａ，３０ｂに設けられた取付孔４０，４０ａ，４０ｂ内面と嵌合部材５０，５０ａ，５０ｂとが線接触又は点接触となるため、転写ヘッド３０，３０ａ，３０ｂは小さな力で回動する。従って、押圧転写部３４，３０ａ（図示せず。），３０ｂ（図示せず。）全面が被転写面に押圧されるように、転写ヘッド３０，３０ａ，３０ｂは塗膜転写具の傾斜に即応して、スムーズに回動するので、良好な転写を行なうことができる。
【００２３】
さらに、ケース２０，２０ａ，２０ｂに設けられた嵌合部材５０，５０ａ，５０ｂとカバー２６，２６ａ，２６ｂの係合部２８，２８ａ，２８ｂとを係合させることによって、転写ヘッド３０，３０ａ，３０ｂが取付けられるとともに、ケース２０，２０ａ，２０ｂとカバー２６，２６ａ，２６ｂとが一体となる。図４（ａ）に示すように、従来の塗膜転写具では、ケースとカバーとを一体にするため、転写ヘッド付近に嵌合ピン（図４の符号Ｐ参照。）を設ける必要があったが、本発明の塗膜転写具では、このような嵌合ピンを別に設ける必要がなくなる。
【００２４】
上記の塗膜転写具において、ケース２０，２０ａ，２０ｂに設けられた嵌合部材５０，５０ａ，５０ｂは、ケース２０，２０ａ，２０ｂと一体に成形されたものでも、別体に成形され、後でケース２０，２０ａ，２０ｂに取付けるようにしたものであってもよい。嵌合部材５０，５０ａ，５０ｂをケース２０，２０ａ，２０ｂと別体にする場合も、嵌合部材５０，５０ａ，５０ｂの一方の端部をケース２０，２０ａ，２０ｂに取付け、他方の端部をカバー２６，２６ａ，２６ｂに嵌合させるようにすると、転写ヘッド３０，３０ａ，３０ｂが塗膜転写具に取付けられると同時に、ケース２０，２０ａ，２０ｂとカバー２６，２６ａ，２６ｂが一体化される。
【００２５】
さらに、嵌合部材として、スプリングや、ＡＢＳ（アクリロニトリル−ブタジエン−スチレン）、ＰＰ（ポリプロピレン）、ＰＥ（ポリエチレン）等の可撓性を有するプラスチックを使用することによって、塗膜転写具の転写ヘッドを被転写面に押圧させたとき、嵌合部材の捻れ弾性によって転写ヘッドが回動するようにしてもよい。
【００２６】
なお、取付孔と嵌合部材は、必ずしも転写ヘッドを貫通するものでなくてもよく、片持ち状の突起部材を、貫通していない取付孔に挿入して嵌合させるだけでもよい。
また、図示は省略するが、転写ヘッドの幅方向両側面を上下又は左右方向に凸曲面状又は球面状とすれば、ヘッド本体がケース先端内面に接触しても回転し易くなる。
【００２７】
【発明の効果】
本発明の塗膜転写具によると、転写ヘッドの本体自体がケースに対して回動可能に取付けられるため、使用中に塗膜転写具が傾いた場合にも、転写ヘッドの回動が可能となって押圧転写部全面が被転写面に押圧されて良好な転写が行なわれるとともに、ケースに転写ヘッドを取付けるための余分なスペースが不要であるため、塗膜転写具を小型化することができるという効果を奏する。
そのため、薄く、弾性反発力の弱い（腰の弱い）テープ基材からなる転写テープを使用しても、ケース内部で転写テープの蛇行、折曲がり、捻れが発生しにくくなる。
【図面の簡単な説明】
【図１】  本発明の第１実施形態による塗膜転写具を示し、図１（ａ）はカバーを外した状態の上面図、図１（ｂ）は図１（ａ）の塗膜転写具に使用される転写ヘッドの斜視図、図１（ｃ）は図１（ａ）のｃ−ｃ線断面図。
【図２】  塗膜転写具の使用状態を示し、図２（ａ）、及び図２（ｂ）は、それぞれ図中の矢印方向への傾斜が生じた状態を示す部分拡大斜視図。
【図３】  図１（ａ）のｃ−ｃ線断面図に相当し、図３（ａ）は本発明の第２実施形態の塗膜転写具に使用される転写ヘッドと嵌合部材の断面図、図３（ｂ）は本発明の第３実施形態の塗膜転写具に使用される転写ヘッドと嵌合部材の断面図。
【図４】  従来の塗膜転写具を示し、図４（ａ）はカバーを外した状態の上面図、図４（ｂ）は図４（ａ）に使用される転写ヘッドと軸受部の斜視図、図４（ｃ）は図４（ａ）のｃ−ｃ線断面図。
【符号の説明】
１０：塗膜転写具
２０，２０ａ，２０ｂ：ケース
２４ａ：巻取コア
２４ｂ：繰出コア
２６，２６ａ，２６ｂ：カバー
２８，２８ａ，２８ｂ：係合部
３０，３０ａ，３０ｂ：転写ヘッド
３２：ヘッド本体
３４：押圧転写部
４０，４０ａ，４０ｂ：取付孔
５０，５０ａ，５０ｂ：嵌合部材
Ｔ：転写テープ
【図１】
0004677626.tif 000002
【図２】
0004677626.tif 000003
【図３】
0004677626.tif 000004
【図４】
0004677626.tif 000005